(57)【要約】  【課題】  不燃化対策により室外機全体のＰＬ対応の信頼性を向上させた手掛装置を有する空気調和機の室外機を提供する。  【解決手段】  手掛装置３が、開口２ｃと、同開口２ｃの上縁に備えた上部係止部２ｇに係止する上部係止爪３ｃおよび下縁に備えた下部係止部２ｈに係止する下部係止爪３ｅを備え、手指を挿入する手掛穴部３ａおよび指先を収容する凹部３ｂを備えるとともに、同凹部３ｂが開口２ｃの内側に膨出する手掛具３０と、前記開口２ｃの下縁部から内側に延出する延出部５と、同開口２ｃの左縁に備えた左縁の爪部に係止される左縁の係止孔および右縁に備えた右縁の爪部に係止される右縁の係止孔を備え、前記延出部５に固着されて同延出部５および前記凹部３ｂを覆う手掛具カバーとからなる構成にした。【選択図】  図１
2011145013.tif 000002
【特許請求の範囲】
【請求項１】
ケーシング内が熱交換器室と機械室とに区画されるとともに、少なくとも背面側に吸込口を備え、前面側に吹出口を備え、前記ケーシングに設けられた開口に合成樹脂製の手掛具が外面側から装着された手掛装置を備えてなる空気調和機の室外機であって、
前記手掛装置が、前記開口と、同開口の上縁に備えた上部係止部に係止する上部係止爪および同開口の下縁に備えた下部係止部に係止する下部係止爪を備え、手指を挿入する手掛穴部および指先を収容する凹部を備えるとともに、同凹部が前記開口の内側に膨出する前記手掛具と、前記開口の下縁部から内側に延出する延出部と、前記開口の左縁に備えた左縁の爪部に係止される左縁の係止孔および同開口の右縁に備えた右縁の爪部に係止される右縁の係止孔を備え、前記延出部に固着されて同延出部および前記凹部を覆う手掛具カバーとからなることを特徴とする空気調和機の室外機。
【請求項２】
前記上部係止部が前記開口の上縁に切込形成され、前記下部係止部が前記開口の下縁に切込形成され、前記延出部が前記開口の下縁に折曲形成され、前記左縁の爪部が前記開口の左縁に折曲形成されるとともに、前記右縁の爪部が前記開口の右縁に折曲形成されてなることを特徴とする請求項１に記載の空気調和機の室外機。
【請求項３】
前記手掛具カバーを前記開口の左縁に係止する左縁係止部が、前記左縁の爪部および前記左縁の係止孔からなり、前記手掛具カバーを前記開口の右縁に係止する右縁係止部が、前記右縁の爪部および前記右縁の係止孔からなるとともに、前記手掛具カバーを前記延出部に固着する固着部が、前記延出部に設けられたねじ孔と、同ねじ孔に対応して前記手掛具カバーに設けられた通し孔とからなることを特徴とする請求項１に記載の空気調和機の室外機。
【請求項４】
前記手掛装置が、少なくとも前記機械室側に設けられてなることを特徴とする請求項１に記載の空気調和機の室外機。
【発明の詳細な説明】
【技術分野】
【０００１】
本発明は、空気調和機の室外機に係わり、より詳細には、手掛装置の構造に関する。
【背景技術】
【０００２】
従来の手掛装置を備えた空気調和機の室外機として、図５（Ａ）および図５（Ｂ）に示すように、ケーシング２２内に配置された互いに近接する複数の冷媒用の金属管（キャピラリチューブ）５１が相互に接触しないように構成することで、金属音を発生させないようにしたものが知られている。
【０００３】
空気調和機の室外機１００の内部は、仕切板２１によって、外気を吸い込む吸込口２ａを臨ませるように熱交換器４を設置した熱交換器室と、図示しない圧縮機や、複数の冷媒用の金属管（キャピラリチューブ）５１を配設した機械室とに区画されている。
【０００４】
機械室の少なくとも背面側を覆っている板金製のケーシング２２には開口２ｃが設けられており、この開口２ｃと、手指を掛けるために開口２ｃに装着される合成樹脂製の手掛具３１と、冷媒用の複数の金属管（キャピラリチューブ）５１を保持する合成樹脂製の保持具３２とで、手掛装置３が構成されている。
【０００５】
手掛具３１は、開口２ｃの周縁部に手掛具３１の縁部３１ｂが係合して装着された際、この縁部３１ｂの上部位置に、手指に馴染みやすいように架設部３１ｃが連続形成されていることにより、手指を掛けやすくした構成になっている。
【０００６】
また、手掛装置３を構成する手掛具３１は、何らかの外力が作用することで、手掛具３１の縁部３１ｂが開口２ｃから外れることによって機械室内に落下しないように、装着時のガタつき（遊び）をなくして、強固に装着されるように工夫された構成になっている。
【０００７】
すなわち、開口２ｃに装着された手掛具３１の後部に、複数の冷媒用の金属管（キャピラリチューブ）５１を保持するための保持具３２を一体成形することで手掛装置３が構成されており、この保持具３２が複数の冷媒用の金属管（キャピラリチューブ）５１を保持することによって、手掛具３１の縁部３１ｂが開口２ｃから外れなくなるように工夫されている。
【０００８】
また、手掛穴部３１ａは、上方に膨出させることで手指を掛けた時に指先を収容できるように構成されるとともに、手掛具３１の縁部３１ｂが、開口２ｃの周縁部にケーシング２２の外面側から係合しているのに対し、上方に膨出させた手掛穴部３１ａの端面３１ｄは、ケーシング２２の内面側に当接させることで手掛具３１を確実に装着できるようにしている。
【０００９】
これらにより、図示しない圧縮機などの振動を受けた場合であっても、複数の冷媒用の金属管（キャピラリチューブ）５１が揺れることで互いに接触してしまうのを防ぐことができるとともに、ガタつき（遊び）のない強固な手掛装置３となることから、例えば、冷媒用の複数の金属管（キャピラリチューブ）５１に緩衝材を貼り付けることで、相互の接触により発生する金属音を抑制するといった処置を施す必要がない構成になっていた（例えば、特許文献１）。
【００１０】
しかしながら、合成樹脂からなる手掛具３１を備えた手掛装置３は、指先が収容される手掛穴部３１ａを上方に膨出させるとともに、架設部３１ｃを設けることで手指が馴染みやすくなり、また、ガタつき（遊び）が生じない強固な構成にしている反面、ＰＬ対応の信頼性を向上させるための室外機全体の不燃化対策が不充分であった。
【先行技術文献】
【特許文献】
【００１１】
【特許文献１】特開２００９−１６２４６５号公報
【発明の概要】
【発明が解決しようとする課題】
【００１２】
そこで、本発明は上述した課題を解決するためになされたものであって、その目的は、室外機全体の不燃化対策によりＰＬ対応の信頼性を向上させた手掛装置を有する空気調和機の室外機を提供することにある。
【課題を解決するための手段】
【００１３】
上述した目的を達成できるように構成するため、本発明は以下に示す特徴を備えている。
【００１４】
ケーシング内が熱交換器室と機械室とに区画されるとともに、少なくとも背面側に吸込口を備え、前面側に吹出口を備え、前記ケーシングに設けられた開口に合成樹脂製の手掛具が外面側から装着された手掛装置を備えてなる空気調和機の室外機であって、
前記手掛装置が、前記開口と、同開口の上縁に備えた上部係止部に係止する上部係止爪および同開口の下縁に備えた下部係止部に係止する下部係止爪を備え、手指を挿入する手掛穴部および指先を収容する凹部を備えるとともに、同凹部が前記開口の内側に膨出する前記手掛具と、前記開口の下縁部から内側に延出する延出部と、前記開口の左縁に備えた左縁の爪部に係止される左縁の係止孔および同開口の右縁に備えた右縁の爪部に係止される右縁の係止孔を備え、前記延出部に固着されて同延出部および前記凹部を覆う手掛具カバーとからなることを特徴としている。
【００１５】
また、前記上部係止部が前記開口の上縁に切込形成され、前記下部係止部が前記開口の下縁に切込形成され、前記延出部が前記開口の下縁に折曲形成され、前記左縁の爪部が前記開口の左縁に折曲形成されるとともに、前記右縁の爪部が前記開口の右縁に折曲形成されてなることを特徴としている。
【００１６】
また、前記手掛具カバーを前記開口の左縁に係止する左縁係止部が、前記左縁の爪部および前記左縁の係止孔からなり、前記手掛具カバーを前記開口の右縁に係止する右縁係止部が、前記右縁の爪部および前記右縁の係止孔からなるとともに、前記手掛具カバーを前記延出部に固着する固着部が、前記延出部に設けられたねじ孔と、同ねじ孔に対応して前記手掛具カバーに設けられた通し孔とからなることを特徴としている。
【００１７】
また、前記手掛装置が、少なくとも前記機械室側に設けられてなることを特徴としている。
【発明の効果】
【００１８】
本発明によれば、室外機全体の不燃化対策によりＰＬ対応の信頼性を向上させた手掛装置を有する空気調和機の室外機を提供できる。
【図面の簡単な説明】
【００１９】
【図１】本発明による空気調和機の室外機の説明図で、（Ａ）は正面側から見た外観斜視図であり、（Ｂ）は背面側から見た外観斜視図であり、（Ｃ）は開口に手掛具を装着した状態をケーシングまたは前面カバーの外面側から見た説明図であり、（Ｄ）は図１（Ｃ）に示すＡ−Ａ断面図として開口の上部係止部および手掛具の上部係止爪と開口の下部係止部および手掛具の下部係止爪との間を結んだ図であり、（Ｅ）は図１（Ｃ）に示すＢ−Ｂ断面図として開口のＬ字部および手掛具の架設部と開口の下部係止部および手掛具の下部係止爪との間を結んだ図である（但し、（Ｅ）は開口の下部係止部および手掛具の下部係止爪は図示せずに省略している）。
【図２】本発明による空気調和機の室外機の要部説明図で、（Ａ）はケーシングまたは前面カバーの内面側から開口を見た図であり、（Ｂ）は開口の周縁部に形成される延出部および係止片を含む展開図である。
【図３】本発明による空気調和機の室外機の要部説明図で、（Ａ）は開口に手掛具の装着を開始する状態（ＳＴＥＰ１）を示す断面図であり、（Ｂ）は開口に手掛具を装着する途中の状態（ＳＴＥＰ２）を示す断面図であり、（Ｂ）は開口に手掛具を装着した状態（ＳＴＥＰ３）を示す断面図である。
【図４】本発明による空気調和機の室外機の要部説明図で、（Ａ）は手掛具カバーの装着を開始する状態（ＳＴＥＰ１）を示す斜視図であり、（Ｂ）は手掛具カバーを装着する途中の状態（ＳＴＥＰ２）を示す斜視図および拡大斜視図であり、（Ｂ）は手掛具カバーを装着した状態（ＳＴＥＰ３）を示す斜視図および拡大斜視図である。
【図５】従来例による空気調和機の室外機の説明図で、（Ａ）は背面側から見た外観斜視図であり、（Ｂ）は要部断面図である。
【発明を実施するための形態】
【００２０】
以下、本発明を実施するための形態を、添付図面に基づいた実施例として詳細に説明する。
【００２１】
本発明による空気調和機の室外機（以下、室外機１という）は、図１（Ａ）および図１（Ｂ）に示すように、室外機１の外郭が板金製の前面カバー２０を含むケーシング２で構成されるとともに、ケーシング２の背面側に外気を吸い込む吸込口２ａを備える一方、ケーシング２の前面側に吹出口２ｂを備えた構成になっている。
【００２２】
また、室外機１の内部は、図５（Ａ）に基づいて上述したのと同様に、仕切板によって熱交換器室と機械室とに区画されている。
【００２３】
熱交換器室には、図示しない熱交換器が、外気を吸い込むための吸込口２ａを臨ませるように設置され、機械室には、図示しない圧縮機や電装品等が設置されている。
【００２４】
ケーシング２は、室外機１の前面側に備えた吹出口２ｂに隣接するように、ケーシング２の一部を構成する着脱可能な板金製の前面カバー２０を備えており、この前面カバー２０を取り外すことによって、機械室の前面部および機械室の前部寄りとなる側面部の一部を夫々開放できるようにした構成となっており、このように開放することで、機械室の内部に備えている図示しない圧縮機や電装品等を容易にメンテナンスできるようになる。
【００２５】
そのため、ケーシング２の一部を構成する前面カバー２０は、機械室側の前面部および機械室側の前部寄りとなる側面部の一部をカバーできるように、断面Ｌ字状に折曲形成された構成になっている。
【００２６】
すなわち、機械室側の前面部は、ケーシング２の一部を構成する前面カバー２０によってカバーされる一方、機械室側の後面部は、ケーシング２の一部によって構成されており、少なくとも、これら機械室側の前面部をカバーする前面カバー２０および機械室側の後面部を構成するケーシング２には、室外機１を設置するために移動させる際、作業者が手指を掛けるのに好適となる位置に手掛装置３が設けられている。
【００２７】
なお、手掛装置３は、機械室側の後面部を構成するケーシング２および機械室側の前面部をカバーする前面カバー２０に夫々設けられた構成として以下に説明するが、作業者が手指を掛けるのに好適となる位置であれば、ケーシング２および前面カバー２０のどの位置に設けられるように構成してもよい。
【００２８】
手掛装置３は、室外機１が１００キログラム重程度、あるいは、それ以上に重い大型のものである場合にも、図１（Ｃ）乃至図１（Ｅ）に示すように、設置時に移動させるために手指を掛ける合成樹脂製の手掛具３０を備えることで、例えば、板金の折り返しによって手掛け構造を形成するような場合に較べて、手指が触れる面積を大きく確保できるようになり、掛けた手指が馴染みやすい手掛け構造になって、馴染ませた手指の力を手掛具３０に掛けやすくなる。
【００２９】
ケーシング２および前面カバー２０には、圧縮機カバーで覆われた図示しない圧縮機や、図示しない電装品等が設置されている機械室を臨ませた貫通孔として、図２（Ａ）に示すような略矩形状に形成された開口２ｃが設けられている。
【００３０】
ケーシング２および前面カバー２０に設けられた開口２ｃの上縁部は、図１（Ｅ）および図３（Ａ）に示すように、ケーシング２および前面カバー２０の内側に折り曲げた水平状のＬ字部２ｉが折曲形成されており、これによって、該箇所の強度が増強されるとともに、図１（Ｄ）と、図２（Ａ）および図２（Ｂ）と、図３（Ａ）乃至図３（Ｃ）とに示すように、Ｌ字部２ｉの一部が切欠されることにより、手掛具３０に備えた複数の上部係止爪３ｃを係止する複数の上部係止部２ｇが切込形成されている。
【００３１】
そして、ケーシング２および前面カバー２０に設けられた開口２ｃの周縁部には、ケーシング２および前面カバー２０の内側に膨出するように形成された段部２ｄが設けられており、この段部２ｄが設けられたことによって、開口２ｃおよびその周縁部の強度を増強できるとともに、後述する手掛具３０に備えた手掛フランジ部３ｄを段部２ｄに収容できて外観性が良好になる。
【００３２】
開口２ｃの下縁部には、この開口２ｃを形成する際、図１（Ｄ）と、図２（Ａ）と、図３（Ａ）乃至図３（Ｃ）とに示すように、折曲形成された延出部５が、開口２ｃの下縁部から開口２ｃの内側である機械室内に向けて、先端側が順次高くなるように傾斜して延出するように形成されている。
【００３３】
延出部５には、その基端部に複数の逃げ孔５ｂが穿設されることで、図１（Ｄ）と、図２（Ａ）および図２（Ｂ）と、図３（Ａ）乃至図３（Ｃ）とに示すように、手掛具３０に備えた複数の下部係止爪３ｅを係止する複数の下部係止部２ｈが切込形成されている。
【００３４】
手掛具３０は、合成樹脂製でなる成形品であって、図１（Ｃ）乃至図１（Ｅ）と、図３（Ａ）乃至図３（Ｃ）とに示すように、装着時に開口２ｃの周縁部に設けられた段部２ｄに当接する手掛フランジ部３ｄと、手指を挿入する手掛穴部３ａと、挿入された手指の指先を収容するように手掛穴部３ａに連続形成された凹部３ｂと、開口２ｃの上縁に切込形成された複数の上部係止部２ｇに係止する複数の上部係止爪３ｃと、開口２ｃの下縁に切込形成された複数の下部係止部２ｈに係止する複数の下部係止爪３ｅと、指先が手掛穴部３ａから挿入され、かつ、凹部３ｂに収容されることによって手指を掛ける架設部３ｆとを備えた構成になっている。
【００３５】
なお、手指を掛けるための架設部３ｆは、図１（Ｅ）に示すように、開口２ｃの上縁部に折曲形成されたＬ字部２ｉの全域に当接した構成になっており、この架設部３ｆは、同図において紙面の左右位置となる前端縁３ｆ１および後端縁３ｆ２の全域（同図の紙面垂直方向の全域）に丸みをもたせるように形成されることで、この架設部３ｆを含む凹部３ｂに手指が馴染みやすくなるため、掛けた手指の力を、手掛具３０を介してＬ字部２ｉが折曲形成されている開口２ｃの上縁部に掛けやすくなる。
【００３６】
合成樹脂製でなる手掛具３０は、ケーシング２および前面カバー２０の外面側から開口２ｃに装着される際、図３（Ａ）にＳＴＥＰ１として示す矢印ｂのように、先ず、手掛具３０の凹部３ｂを開口２ｃから挿入して斜め上方に押し上げることで、開口２ｃの上縁に切込形成された複数の上部係止部２ｇに複数の上部係止爪３ｃを係合する。
【００３７】
次に、図３（Ｂ）にＳＴＥＰ２として示すｃ部のように、複数の上部係止部２ｇに係合した複数の上部係止爪３ｃを中心位置にして、同図に示す矢印ｄのように、手掛具３０の下位部を開口２ｃの下縁部に向けて移動させ、かつ、押圧することにより、図３（Ｃ）にＳＴＥＰ３として示すように、手掛具３０に備えた複数の下部係止爪３ｅが開口２ｃの下縁に切込形成された複数の下部係止部２ｈに係止し、同時に、複数の上部係止爪３ｃが開口２ｃの上縁に切込形成された複数の上部係止部２ｇに係止して、手掛具３０が開口２ｃに装着されることになる。
【００３８】
また、延出部５には、図２（Ａ）および図２（Ｂ）と、図３（Ａ）乃至図３（Ｃ）と、図４（Ｃ）とに示すように、後述する板金製の手掛具カバー６をねじ締め固定するためのねじ孔５ａが設けられており、後述する手掛具カバー６には、図４（Ａ）乃至図４（Ｃ）に示すように、ねじ孔５ａに螺着されるねじ７を通すための通し孔６ｄが設けられている。
【００３９】
延出部５に設けられたねじ孔５ａは、図２（Ａ）と、図３（Ａ）乃至図３（Ｃ）とに示すように、延出部５の上面側に突出するようにねじ孔５ａの周囲を立ち上げた成形加工（バーリング加工）をすることにより、ねじ山の数を増やしてねじ締めする時の強度を増強している。
【００４０】
手掛具３０に備えた複数の下部係止爪３ｅが、開口２ｃの下縁に切込形成された複数の下部係止部２ｈに係止した際、複数の下部係止爪３ｅの一部は、複数の逃げ孔５ｂを挿通してこれらの逃げ孔５ｂから下方に突出した構成になっており、この突出した複数の下部係止爪３ｅの一部が、後述する手掛具カバー６に設けられた複数の係合部６ｅに係合することにより、図４（Ｃ）に示すように、後述する手掛具カバー６に設けられた通し孔６ｄが延出部５に設けられたねじ孔５ａに位置合わせされることになって、ねじ７により、手掛具カバー６を延出部５にねじ締め固定する時の作業性が良好になる。
【００４１】
手掛具３０は、複数の上部係止部２ｇに複数の上部係止爪３ｃを係合し、次に、複数の下部係止部２ｈに複数の下部係止爪３ｅを係止すると同時に、複数の上部係止部２ｇに複数の上部係止爪３ｃを係止して、開口２ｃの周縁部に設けられた段部２ｄに手掛フランジ部３ｄを密接させることにより、ガタ付き（遊び）が生じないように、また、簡単に離脱してしまわないよう開口２ｃに強固に装着されることになる。
【００４２】
また、手掛具３０は、図３（Ｃ）にＳＴＥＰ３として示すように、凹部３ｂの底面と延出部５との間に所定の隙間を確保するように構成されており、これによって、延出部５の上面側にねじ孔５ａの周囲を立ち上げた成形加工（バーリング加工）がされていても、また、この成形加工（バーリング加工）されたねじ孔５ａにねじ７が螺着されても、これらの成形加工（バーリング加工）されたねじ孔５ａおよびねじ７の先端部が、凹部３ｂの底面に当たってしまうということがない。
【００４３】
なお、手掛具３０に備えた架設部３ｆは、開口２ｃの上縁部の長手方向全域を覆ってＬ字部２ｉに当接するように形成されることによって、手掛具３０として必要な強度をもたせることができるとともに、手指全体が、開口２ｃの長手方向全域に対応する架設部３ｆに掛かりやすくした構成になる。
【００４４】
このように構成されたことで、手掛具３０は、手掛穴部３ａの奥側に連続形成されて機械室内に膨出した手指の指先を収容するための凹部３ｂを備えるとともに、開口２ｃの上縁部の長手方向全域を覆ってＬ字部２ｉに当接する架設部３ｆを備えているので、手指全体が充分に掛かるようになるため、掛けた手指が手掛具３０に馴染みやすくなって該箇所に手指の力を掛けやすくなる。
【００４５】
また、開口２ｃの左縁には、この開口２ｃを形成する際、図２（Ａ）および図２（Ｂ）と、図４（Ａ）乃至図４（Ｃ）とに示すように、縦長状の左縁の爪部２ｅが折曲形成されており、この左縁の爪部２ｅは、開口２ｃの内側である機械室内に突出するように折曲形成されて、下方を開放して上下に延びる縦長状の係止溝２ｆを有した構成になっている。
【００４６】
同様に、開口２ｃの右縁には、図２（Ａ）および図２（Ｂ）と、図４（Ａ）乃至図４（Ｃ）とに示すように、縦長状の右縁の爪部２ｅが折曲形成されており、この右縁の爪部２ｅは、開口２ｃの内側である機械室内に突出するように折曲形成されて、下方を開放して上下に延びる縦長状の係止溝２ｆを有した構成になっている。
【００４７】
開口２ｃの左縁に折曲形成された左縁の爪部２ｅと、開口２ｃの右縁に折曲形成された右縁の爪部２ｅとは、図４（Ｂ）の爪部拡大図および図４（Ｃ）の爪部拡大図に示すように、縦長状の係止溝２ｆを有して側面視で略Ｌ字状に形成されたことで、この係止溝２ｆに、後述する手掛具カバー６が上下方向にスライドすることによって、後述する手掛具カバー６に備えた係止部６ｃが係脱可能に係止することになる。
【００４８】
なお、機械室内に延出するように折曲形成される延出部５と、開口２ｃの上縁部に折曲形成されるＬ字部２ｉと、開口２ｃの左縁に折曲形成される左縁の爪部２ｅおよび開口２ｃの右縁に折曲形成される右縁の爪部２ｅとは、展開図として図２（Ｂ）に示すように構成されており、開口２ｃを形成する際、同図に破線で示す折曲箇所ａで折り曲げることによって、図２（Ａ）に示すように同時に折曲形成されることになる。
【００４９】
その際、機械室内に延出するように折曲形成される延出部５と、開口２ｃの上縁部に折曲形成されるＬ字部２ｉと、開口２ｃの左縁に折曲形成される左縁の爪部２ｅおよび開口２ｃの右縁に折曲形成される右縁の爪部２ｅとは、展開図として図２（Ｂ）に示すようにプレス加工したのち、図２（Ａ）に示すように折曲形成することにより、形状および寸法の精度を高めることができるようになる。
【００５０】
手掛具カバー６は、図４（Ａ）乃至図４（Ｃ）に示すような板金製でなり、手掛具３０の凹部３ｂおよび延出部５を機械室側から覆うカバー部６ａと、カバー部６ａの周縁に連続形成されることにより、ケーシング２および前面カバー２０に設けられた段部２ｄの裏面に密接するフランジ部６ｂとを備えた構成になっている。
【００５１】
手掛具カバー６のカバー部６ａは、手掛具３０に備えた凹部３ｂおよび開口２ｃの下縁部に折曲形成された延出部５を完全に覆うことができるように形成されており、手掛具カバー６のフランジ部６ｂは、カバー部６ａによって凹部３ｂおよび延出部５を覆った状態で、図４（Ｂ）の爪部拡大図に示す矢印ｆのようにスライドさせることで、開口２ｃの左縁に折曲形成された左縁の爪部２ｅおよび開口２ｃの右縁に折曲形成された右縁の爪部２ｅに対し、図４（Ｃ）の爪部拡大図に示すように係止される左縁の係止部６ｃおよび右縁の係止部６ｃを備えている。
【００５２】
なお、板金製の手掛具カバー６は、カバー部６ａを形成する際、例えば、板金がプレス加工によって絞り加工されることにより、材料取りの効率化を図って残材が多くならないように形成してもよく、または、図４（Ａ）に示すｅ部（対向面を含む）において、折曲形成された折曲面の一部がスポット溶接されることで強固に形成する構成にしてもよい。
【００５３】
ここで、ケーシング２および前面カバー２０に設けられた開口２ｃに対し、ケーシング２および前面カバー２０の外面側から手掛具３０を装着して、内面側から、複数の下部係止部２ｈに複数の下部係止爪３ｅを正確に係止すると同時に、複数の上部係止部２ｇに複数の上部係止爪３ｃを正確に係止できたこと、また、開口２ｃの周縁部に設けられた段部２ｄに手掛フランジ部３ｄを密接させたことを確認したのち、ケーシング２および前面カバー２０にその内面側から手掛具カバー６を装着する手順について、図４（Ａ）乃至図４（Ｃ）に基づいて、以下に説明する。
【００５４】
図４（Ａ）に示す手掛具カバー６を手に持ち、この手掛具カバー６のカバー部６ａで、開口２ｃに装着された手掛具３０に備えた凹部３ｂおよび開口２ｃに折曲形成された延出部５を覆いながら、図４（Ｂ）に示すように、手掛具カバー６に備えたフランジ部６ｂをケーシング２および前面カバー２０の裏面に当接しながら、フランジ部６ｂに備えた複数の係止部６ｃに、開口２ｃの左縁に折曲形成された左縁の爪部２ｅを挿入させ、開口２ｃの右縁に折曲形成された右縁の爪部２ｅを挿入させる。
【００５５】
次に、図４（Ｂ）の爪部拡大図に示す矢印ｆのように、手掛具カバー６を左縁の爪部２ｅおよび右縁の爪部２ｅでガイドしながらスライドさせることにより、図４（Ｃ）の爪部拡大図に示すように、手掛具カバー６に備えたフランジ部６ｂに設けられた複数の係止部６ｃを、開口２ｃの左縁に折曲形成された左縁の爪部２ｅを構成する係止溝２ｆに係止させ、開口２ｃの右縁に折曲形成された右縁の爪部２ｅを構成する係止溝２ｆに係止させる。
【００５６】
その際、スライドさせた手掛具カバー６は、通し孔６ｄが設けられている一面（底面）が、図１（Ｄ）に二点鎖線（想像線）で示すように延出部５に当接することになり、これによって、図４（Ａ）乃至図４（Ｃ）に示すように、延出部５に設けられた逃げ孔５ｂを挿通している手掛具３０に備えた複数の下部係止爪３ｅの一部が、手掛具カバー６に設けられた係合部６ｅに係合する。
【００５７】
なお、手掛具カバー６は、スライド時に左縁の爪部２ｅおよび右縁の爪部２ｅによってガイドされ、かつ、左縁の爪部２ｅおよび右縁の爪部２ｅによって左右方向にガタ付き（遊び）が生じないように規制されるとともに、複数の下部係止爪３ｅの一部が複数の係合部６ｅに係合することになる。
【００５８】
これによって、延出部５に設けられたねじ孔５ａに対して手掛具カバー６に設けられた通し孔６ｄが位置合わせされることになり、この通し孔６ｄを通した図４（Ｃ）に示すねじ７をねじ孔５ａに螺着し、手掛具カバー６を延出部５にねじ締め固定することで、図１（Ｄ）に二点鎖線（想像線）で示すように、手掛具カバー６により、手掛具３０に備えた凹部３ｂおよび開口２ｃに折曲形成された延出部５を覆うことができるようになる。
【００５９】
これによって、板金製の手掛具カバー６は、仮に、合成樹脂製の手掛具３０が火災に遭って高温になり、溶け始めてケーシング２および前面カバー２０に設けられた開口２ｃから機外に落下したとしても、この開口２ｃは、図１（Ｄ）に二点鎖線（想像線）で示すように手掛具カバー６で遮蔽されることになって、ＰＬ対応の信頼性を向上させるための室外機１全体の不燃化対策を実現できる。
【００６０】
すなわち、例えば、近くで火災が発生することによって、高温に晒された合成樹脂製の手掛具３０が溶け始めた場合であっても、この溶け始めた手掛具３０が室外機１の機械室内に落下することなく、先端位置が基端部に対して高くなるように傾斜させた延出部５の上面を滑り落ちて機外に排出されることから、溶け始めて火種となった手掛具３０が落下することによって機械室内が延焼してしまうという虞がない。
【００６１】
なお、図１（Ｄ）および図１（Ｅ）は、手掛具３０が開口２ｃに装着された状態を要部断面図として示しているが、図１（Ｄ）では、手掛具カバー６を二点鎖線（想像線）で示しており、例えば、高温で溶け始めた手掛具３０が延出部５の上面に落下した際、手掛具カバー６が、ケーシング２および前面カバー２０に設けられた開口２ｃの一部のみを覆うのではなく、開口２ｃの全域を遮蔽するように装着されていることから、手掛具３０は正確に機外に排出されることになる。
【００６２】
以上説明したように、本発明の構成によれば、手掛装置３が、板金製のケーシング２および前面カバー２０に設けられた開口２ｃと、開口２ｃに装着された合成樹脂製の手掛具３０と、開口２ｃの下縁部から機械室内に延出した延出部５と、延出部５および凹部３ｂを覆った板金製の手掛具カバー６とからなる構成にしたので、室外機１を設置する際、手指が馴染みやすい手掛具３０に手指を掛けて移動させることができるようになり、また、高温になり溶け始めて落下した場合の手掛具３０は機外に排出されるとともに、開口２ｃは、手掛具カバー６で遮蔽されることになって、室外機１全体の不燃化対策を実現することでＰＬ対応の信頼性を向上させた手掛装置３を有する空気調和機の室外機１となる。
【符号の説明】
【００６３】
１  空気調和機の室外機
２  ケーシング
２０  前面カバー
２ａ  吸込口
２ｂ  吹出口
２ｃ  開口
２ｄ  段部
２ｅ  爪部
２ｆ  係止溝
２ｇ  上部係止部
２ｈ  下部係止部
２ｉ  Ｌ字部
３  手掛装置
３０  手掛具
３ａ  手掛穴部
３ｂ  凹部
３ｃ  上部係止爪
３ｄ  手掛フランジ部
３ｅ  下部係止爪
３ｆ  架設部
３ｆ１  前端縁
３ｆ２  後端縁
５  延出部
５ａ  ねじ孔
５ｂ  逃げ孔
６  手掛具カバー
６ａ  カバー部
６ｂ  フランジ部
６ｃ  係止部
６ｄ  通し孔
６ｅ  係合部
７  ねじ
【図１】
2011145013.tif 000003
【図２】
2011145013.tif 000004
【図３】
2011145013.tif 000005
【図４】
2011145013.tif 000006
【図５】
2011145013.tif 000007